(57)【要約】【課題】出湯スイッチの操作し直し時間が短時間であれば必要な吐出量を得て、早く出湯完了できるようにした電気湯沸かし器を提供することを目的とする。【解決手段】出湯ポンプ７と、出湯スイッチ８と、出湯量を段階的に増加させるよう制御する制御手段９と、出湯スイッチ８のオン・オフ時間を計測する出湯スイッチオン時間計測手段１０・出湯スイッチオフ時間計測手段１１とを備え、オン計測時間が第１の所定時間以上で、かつオフ計測時間が第２の所定時間以内であれば、出湯スイッチ８を一旦オフした後再度オンしたとき、単位時間当たりの出湯量の第１段階における第３の所定時間経過時点以降から出湯開始するようにしたものである。これによって、出湯途中、出湯スイッチの操作し直しが短時間であれば、第３の所定時間経過時点以降から出湯開始するようにし、必要な吐出量を得て、早く出湯完了できるものとすることができる。【選択図】図１
2008229088.tif 000002
【特許請求の範囲】
【請求項１】
液体を収容する容器と、液体を加熱する加熱源と、容器内の液体を容器外へ吐出する出湯ポンプと、出湯ポンプを駆動操作する出湯スイッチと、出湯スイッチの操作により単位時間当たりの出湯量を段階的に増加させるよう制御する制御手段と、出湯スイッチのオン時間を計測する出湯スイッチオン時間計測手段と、出湯スイッチのオフ時間を計測する出湯スイッチオフ時間計測手段とを備え、前記出湯スイッチオン時間計測手段による計測時間が第１の所定時間以上で、かつ出湯スイッチオフ時間計測手段による計測時間が第２の所定時間以内であれば、出湯動作中に出湯スイッチを一旦オフした後再度オンしたとき、単位時間当たりの出湯量の第１段階における第３の所定時間経過時点以降から出湯開始するようにした電気湯沸かし器。
【請求項２】
単位時間当たりの出湯量は、通常以下のステップ、通常のステップ、および通常以上のステップの段階的に増加させるようにした請求項１に記載の電気湯沸かし器。
【請求項３】
出湯スイッチを再度オンしたとき、出湯動作を通常のステップから開始するようにした請求項２に記載の電気湯沸かし器。
【請求項４】
出湯スイッチを再度オンしたとき、出湯動作を通常のステップにおける第４の所定時間経過時点から開始するようにした請求項２に記載の電気湯沸かし器。
【請求項５】
出湯スイッチを一旦オフしたときの出湯動作が通常のステップの場合、出湯スイッチの再度オン時には、出湯動作を通常以下のステップから開始するようにした請求項２〜４のいずれか１項に記載の電気湯沸かし器。
【請求項６】
出湯スイッチを再度オンしたとき、出湯動作を通常以上のステップから開始するようにした請求項２に記載の電気湯沸かし器。
【請求項７】
出湯スイッチを一旦オフしたときの出湯動作が通常以上のステップの場合、出湯スイッチの再度オン時には、出湯動作を通常のステップから開始するようにした請求項２〜６のいずれか１項に記載の電気湯沸かし器。
【請求項８】
通常以上のステップでの出湯スイッチオン時間計測手段により計測した時間が所定時間未満の場合、出湯スイッチの再度オン時には、出湯動作を通常以下のステップから開始するようにした請求項２〜７のいずれか１項に記載の電気湯沸かし器。
【請求項９】
通常以上のステップでの出湯スイッチオン時間計測手段により計測した時間が所定時間以上の場合、出湯スイッチの再度オン時には、出湯動作を通常のステップまたは通常以上のステップから開始するようにした請求項２〜８のいずれか１項に記載の電気湯沸かし器。
【請求項１０】
出湯スイッチオフ時間計測手段による計測時間が所定時間以上の場合、出湯スイッチの再度オン時、出湯動作を通常以下のステップから開始するようにした請求項２〜９のいずれか１項に記載の電気湯沸かし器。
【発明の詳細な説明】
【技術分野】
【０００１】
本発明は、一般家庭などにおいて使用される、出湯ポンプを有する電気湯沸かし器に関するものである。
【背景技術】
【０００２】
従来、この種の電気湯沸かし器において、所定の出湯量を得るには、出湯開始時から出湯ポンプの出力を一定時間内に第１の出力から第２の出力まで増加させるようにしている（例えば、特許文献１参照）。この電気湯沸かし器においては、出湯量が多い場合でも出湯開始時には所定の出湯量より小さい出湯量が得られるため、出湯開始時に湯の飛び散りなどが生じず、また、出湯量を増加させながら所定の出湯量にすることができるものである。
【特許文献１】特開平９−１５４７３２号公報
【発明の開示】
【発明が解決しようとする課題】
【０００３】
しかしながら、前記従来の構成では、何らかの理由により、出湯途中に出湯スイッチの操作する手が一時出湯スイッチから離れるようなケースが生じた場合、再度操作し直すとその都度、毎回、出湯ポンプの出力を一定時間、第１の出力から第２の出力まで増加させるため、出湯開始時から多量の出湯をする場合に比べて、出湯完了するまでに余計に時間がかかってしまうものであった。
【０００４】
本発明は、前記従来の課題を解決するもので、出湯途中に出湯スイッチの操作する手が一時出湯スイッチから離れるようなケースが生じた場合でも、出湯スイッチの操作し直し時間が短時間であれば必要な吐出量を得て、できるだけ早く出湯完了できるようにした使い勝手のよい電気湯沸かし器を提供することを目的とする。
【課題を解決するための手段】
【０００５】
前記従来の課題を解決するために、本発明の電気湯沸かし器は、液体を収容する容器と、液体を加熱する加熱源と、容器内の液体を容器外へ吐出する出湯ポンプと、出湯ポンプを駆動操作する出湯スイッチと、出湯スイッチの操作により単位時間当たりの出湯量を段階的に増加させるよう制御する制御手段と、出湯スイッチのオン時間を計測する出湯スイッチオン時間計測手段と、出湯スイッチのオフ時間を計測する出湯スイッチオフ時間計測手段とを備え、前記出湯スイッチオン時間計測手段による計測時間が第１の所定時間以上で、かつ出湯スイッチオフ時間計測手段による計測時間が第２の所定時間以内であれば、出湯動作中に出湯スイッチを一旦オフした後再度オンしたとき、単位時間当たりの出湯量の第１段階における第３の所定時間経過時点以降から出湯開始するようにしたものである。
【０００６】
これによって、出湯途中、何らかの理由により出湯スイッチの操作し直しがあっても、それが短時間であれば、第３の所定時間経過時点以降から出湯開始するようにし、必要な吐出量を得て、できるだけ早く出湯完了できる使い勝手のよい電気湯沸かし器を提供することができる。
【発明の効果】
【０００７】
本発明の電気湯沸かし器は、出湯途中に出湯スイッチの操作する手が一時出湯スイッチから離れるようなケースが生じた場合でも、出湯スイッチの操作し直し時間が短時間であれば必要な吐出量を得て、できるだけ早く出湯完了できるようにした使い勝手のよいものである。
【発明を実施するための最良の形態】
【０００８】
第１の発明は、液体を収容する容器と、液体を加熱する加熱源と、容器内の液体を容器外へ吐出する出湯ポンプと、出湯ポンプを駆動操作する出湯スイッチと、出湯スイッチの操作により単位時間当たりの出湯量を段階的に増加させるよう制御する制御手段と、出湯スイッチのオン時間を計測する出湯スイッチオン時間計測手段と、出湯スイッチのオフ時間を計測する出湯スイッチオフ時間計測手段とを備え、前記出湯スイッチオン時間計測手段による計測時間が第１の所定時間以上で、かつ出湯スイッチオフ時間計測手段による計測時間が第２の所定時間以内であれば、出湯動作中に出湯スイッチを一旦オフした後再度オンしたとき、単位時間当たりの出湯量の第１段階における第３の所定時間経過時点以降から出湯開始するようにした電気湯沸かし器としたものである。
【０００９】
これによって、出湯途中、何らかの理由により出湯スイッチの操作し直しがあっても、それが短時間であれば、単位時間当たりの出湯量の第１段階における第３の所定時間経過時点以降から出湯開始するようにし、必要な吐出量を得て、できるだけ早く出湯完了できる使い勝手のよい電気湯沸かし器を提供することができる。
【００１０】
第２の発明は、特に、第１の発明において、単位時間当たりの出湯量は、通常以下のステップ、通常のステップ、および通常以上のステップの段階的に増加させるようにしたことにより、出湯途中、何らかの理由により出湯スイッチの操作し直しがあっても、それが短時間であれば、通常以下のステップにおける第３の所定時間経過時点以降から出湯開始するようにし、必要な吐出量を得て、できるだけ早く出湯完了できる使い勝手のよい電気湯沸かし器を提供することができる。
【００１１】
第３の発明は、特に、第２の発明において、出湯スイッチを再度オンしたとき、出湯動作を通常のステップから開始するようにしたことにより、通常のステップからの必要な吐出量を得て、できるだけ早く出湯完了でき、使い勝手の向上をはかることができる。
【００１２】
第４の発明は、特に、第２の発明において、出湯スイッチを再度オンしたとき、出湯動作を通常のステップにおける第４の所定時間経過時点から開始するようにしたことにより、通常のステップにおける時間を短縮し必要な吐出量を得て、できるだけ早く出湯完了でき、使い勝手の向上をはかることができる。
【００１３】
第５の発明は、特に、第２〜第４のいずれか１つの発明において、出湯スイッチを一旦オフしたときの出湯動作が通常のステップの場合、出湯スイッチの再度オン時には、出湯動作を通常以下のステップから開始するようにしたことにより、出湯スイッチの再度オン時にも湯の飛び散りを抑えつつ、必要な吐出量を得て、できるだけ早く出湯完了でき、使い勝手の向上をはかることができる。
【００１４】
第６の発明は、特に、第２の発明において、出湯スイッチを再度オンしたとき、出湯動作を通常以上のステップから開始するようにしたことにより、より時間短縮がはかれ、必要な吐出量を得て、できるだけ早く出湯完了でき、使い勝手の向上をはかることができる。
【００１５】
第７の発明は、特に、第２〜第６のいずれか１つの発明において、出湯スイッチを一旦オフしたときの出湯動作が通常以上のステップの場合、出湯スイッチの再度オン時には、出湯動作を通常のステップから開始するようにしたことにより、時間短縮がはかれ、必要な吐出量を得て、できるだけ早く出湯完了でき、使い勝手の向上をはかることができる。
【００１６】
第８の発明は、特に、第２〜第７のいずれか１つの発明において、通常以上のステップでの出湯スイッチオン時間計測手段により計測した時間が所定時間未満の場合、出湯スイッチの再度オン時には、出湯動作を通常以下のステップから開始するようにしたことにより、通常以上のステップでの出湯時間が短時間であって再度オンしたときは、再度オン直後も出湯時の湯の飛び散りを抑えることができ、使い勝手を向上することができる。
【００１７】
第９の発明は、特に、第２〜第８のいずれか１つの発明において、通常以上のステップでの出湯スイッチオン時間計測手段により計測した時間が所定時間以上の場合、出湯スイッチの再度オン時には、出湯動作を通常のステップまたは通常以上のステップから開始するようにしたことにより、時間短縮がはかれ、必要な吐出量を得て、できるだけ早く出湯完了でき、使い勝手の向上をはかることができる。
【００１８】
第１０の発明は、特に、第２〜第９のいずれか１つの発明において、出湯スイッチオフ時間計測手段による計測時間が所定時間以上の場合、出湯スイッチの再度オン時、出湯動作を通常以下のステップから開始するようにしたことにより、出湯スイッチを一旦オフして再度オンするまでの時間が長いとき、つまり、出湯スイッチの操作し直しがあったときは、再度オン直後も出湯時の湯の飛び散りを抑えることができ、使い勝手を向上することができる。
【００１９】
以下、本発明の実施の形態について、図面を参照しながら説明する。なお、この実施の形態によって本発明が限定されるものではない。
【００２０】
（実施の形態１）
図１〜図３は、本発明の実施の形態１における電気湯沸かし器を示している。
【００２１】
図１に示すように、本実施の形態における電気湯沸かし器は、商用電源を供給するための電源プラグ１と、液体を収容する容器２と、液体を加熱する加熱源３と、容器２内の液体の温度を検知する温度検知手段４と、容器２内の液体を、パイプ５を介して吐出口６から容器外へ吐出させる出湯ポンプ７と、出湯ポンプ７を駆動操作（接触操作、押圧操作または回動操作など）する出湯スイッチ８と、出湯スイッチ８の操作により単位時間当たりの出湯量を段階的（本実施の形態では、通常以下のステップ、通常のステップ、および通常以上のステップの３段階）に増加させるよう制御する制御手段９と、出湯スイッチ８のオン時間を計測する出湯スイッチオン時間計測手段１０と、出湯スイッチ８のオフ時間を計測する出湯スイッチオフ時間計測手段１１と、容器２の液体温度および出湯ポンプ７の吐出量などを表示する表示手段１２とを備えている。
【００２２】
そして、出湯スイッチオン時間計測手段１０による計測時間が第１の所定時間以上で、かつ出湯スイッチオフ時間計測手段１１による計測時間が第２の所定時間以内であれば、出湯動作中に出湯スイッチ８を一旦オフした後再度オンしたとき、単位時間当たりの出湯量の第１段階（通常以下のステップ）における第３の所定時間経過時点以降から出湯開始するようにしたものである。すなわち、出湯動作中に出湯スイッチ８を一旦オフした後再度オンしたときには、第１段階の開始時点に戻ることなく、それより所定時間経過時点以降のしかるべき時点、あるいは次段階から出湯開始するようにしている。
【００２３】
なお、制御手段９は、電圧制御手段により出湯ポンプ７を駆動するモータへの印加電圧を制御しているが、同時に加熱源３および表示手段１２をも制御しているものである。
【００２４】
以上のように構成された電気湯沸かし器の動作について、図２、図３に基づき、さらに詳細に説明する。
【００２５】
図２、図３に示すように、電源オン中、出湯スイッチ８がオンされると（ＳＴＥＰ１）、制御手段９により出湯ポンプ７へ電圧Ｖ１（本実施の形態では３．０Ｖ）を印加することによって出湯ポンプ７の駆動を開始する（ＳＴＥＰ２）。このとき、駆動開始と同時に出湯スイッチオン時間計測手段１０は出湯スイッチ８のオン時間を計測開始する（ＳＴＥＰ３）。そして、電圧Ｖ３でのポンプ駆動が未実施（ＳＴＥＰ４）、または、実施済みでも出湯スイッチオフ時間が２秒以上ならば（ＳＴＥＰ５）、駆動時間が第１の所定時間（本実施の形態では５秒）経過すると（ＳＴＥＰ６）、制御手段９による出湯ポンプ７への印加電圧をＶ２（本実施の形態では４．０Ｖ）に変更する（ＳＴＥＰ８）。
【００２６】
電圧Ｖ３でのポンプ駆動が実施済み（ＳＴＥＰ４）で、かつ、出湯スイッチオフ時間が２秒未満（ＳＴＥＰ５）ならば、駆動時間が第２の所定時間（本実施の形態では３秒）経過すると（ＳＴＥＰ７）、制御手段９による出湯ポンプ７への印加電圧をＶ２（本実施の形態では４．０Ｖ）に変更する（ＳＴＥＰ８）。
【００２７】
さらに、駆動時間が第３の所定時間（本実施の形態では５秒）経過すると（ＳＴＥＰ９）、制御手段９による出湯ポンプ７への印加電圧をＶ３（本実施の形態では５．０Ｖ）に変更し（ＳＴＥＰ１０）、電圧Ｖ３でのポンプ駆動が実施済みフラグをセットする（ＳＴＥＰ１１）。
【００２８】
出湯ポンプ７へ電圧Ｖ３を印加中に、出湯スイッチ７がオフされると（ＳＴＥＰ１２）、同時に出湯スイッチオフ時間計測手段１１は出湯スイッチ８のオフ時間を計測開始し（ＳＴＥＰ１３）、第４の所定時間（本実施の形態では２秒）以内に再度出湯スイッチ８がオンされると（ＳＴＥＰ１）、制御手段９により出湯ポンプ７へ電圧Ｖ１（本実施の形態では３．０Ｖ）を印加することによって出湯ポンプ７の駆動を再度開始する（ＳＴＥＰ２）。
【００２９】
なお、電圧Ｖ１でのポンプ駆動時間５秒というのはマグカップ一杯分、電圧Ｖ１を５秒と電圧Ｖ２を５秒駆動させた場合の合計１０秒間というのはカップ麺一杯分、電圧Ｖ３での駆動となる合計１０秒以上というのは鍋、ボールなどを目安としている。
【００３０】
なお、本実施の形態では、第１、第２の所定時間を５秒としたが、電圧Ｖ１、Ｖ２の大きさによっては４秒、または６秒など任意の時間に変更させてもよい。
【００３１】
なお、表示手段１２により吐出中の吐出量を表示するときは、点灯、点滅などの任意のパターンにて表示させてもよい。
【００３２】
また、本実施の形態では、第３の所定時間を２秒としたが、出湯スイッチ８の形状、構成などによっては１秒、または３秒など任意の時間に変更させてもよい。
【００３３】
また、本実施の形態では、Ｖ１、Ｖ２、Ｖ３の３段階（出湯量：通常以下のステップ、通常のステップ、通常以上のステップ）としたが、２段階の場合でもよく、さらに吐出口６から吐出する流量の微調整が可能な流量経路ならば、Ｖ１、Ｖ２、Ｖ３、Ｖ４の４段階、またはそれ以上の多い段階切替え（ステップの細分化）としてもよい。
【００３４】
このような構成により、出湯スイッチ８の操作し直しを行ったときは、通常以下のステップでの出湯電圧による出湯ポンプ７を駆動する所定時間を短縮でき、利便性を向上させることができる。
【００３５】
（実施の形態２）
図４、図５は、本発明の実施の形態２における電気湯沸かし器を示している。電気湯沸かし器の構成については実施の形態１と同じであるのでその説明を省略する。
【００３６】
本発明の実施の形態２における電気湯沸かし器において、実施の形態１との相違点は、出湯動作中に出湯スイッチ８を一旦オフした後再度オンしたとき、出湯動作を通常以下のステップに戻らず通常のステップから開始するようにしたことである。
【００３７】
以上のように構成された電気湯沸かし器の動作を、図４、図５に基づき、さらに詳細に説明する。
【００３８】
図に示すように、電源オン中、出湯スイッチ８がオンされると（ＳＴＥＰ１）、出湯スイッチオン時間計測手段１０は出湯スイッチ８のオン時間を計測開始する（ＳＴＥＰ３）。ここで、電圧Ｖ３でのポンプ駆動が未実施（ＳＴＥＰ４）、または、実施済みでも出湯スイッチオフ時間が２秒以上ならば（ＳＴＥＰ５）、制御手段９により出湯ポンプ７へ電圧Ｖ１（本実施の形態では３．０Ｖ）を印加することによって出湯ポンプ７の駆動を開始する（ＳＴＥＰ２）。そして、駆動時間が第１の所定時間（本実施の形態では５秒）経過すると（ＳＴＥＰ６）、制御手段９による出湯ポンプ７への印加電圧をＶ２（本実施の形態では４．０Ｖ）に変更する（ＳＴＥＰ８）。しかし、電圧Ｖ３でのポンプ駆動が実施済み（ＳＴＥＰ４）で、かつ、出湯スイッチオフ時間が２秒未満（ＳＴＥＰ５）ならば、制御手段９により出湯ポンプ７へ電圧Ｖ２（本実施の形態では４．０Ｖ）を印加する（ＳＴＥＰ８）。それ以降の動作は実施の形態１と同様である。
【００３９】
このような構成により、出湯スイッチ８の操作し直しを行ったときは、通常以下のステップでの出湯電圧による出湯ポンプを駆動する時間を削除でき、通常のステップの出湯電圧による出湯ポンプ７の駆動から出湯を開始することができるため、利便性を向上させることができる。
【００４０】
（実施の形態３）
図６、図７は、本発明の実施の形態３における電気湯沸かし器を示している。電気湯沸かし器の構成については実施の形態１と同じであるのでその説明を省略する。
【００４１】
本発明の実施の形態３における電気湯沸かし器において、実施の形態１との相違点は、出湯動作中に出湯スイッチ８を一旦オフした後再度オンしたとき、出湯動作を通常以下のステップに戻らず、通常のステップにおける第４の所定時間経過時点から開始するようにしたことである。
【００４２】
以上のように構成された電気湯沸かし器の動作を、図６、図７に基づき、さらに詳細に説明する。
【００４３】
図に示すように、電源オン中、出湯スイッチ８がオンされると（ＳＴＥＰ１）、出湯スイッチオン時間計測手段１０は出湯スイッチ８のオン時間を計測開始する（ＳＴＥＰ３）。ここで、電圧Ｖ３でのポンプ駆動が未実施（ＳＴＥＰ４）、または、実施済みでも出湯スイッチオフ時間が２秒以上ならば（ＳＴＥＰ５）、制御手段９により出湯ポンプ７へ電圧Ｖ１（本実施の形態では３．０Ｖ）を印加することによって出湯ポンプ７の駆動を開始する（ＳＴＥＰ２）。そして、駆動時間が第１の所定時間（本実施の形態では５秒）経過すると（ＳＴＥＰ６）、制御手段９による出湯ポンプ７への印加電圧をＶ２（本実施の形態では４．０Ｖ）に変更する（ＳＴＥＰ８）。さらに、駆動時間が第３の所定時間（本実施の形態では５秒）経過すると（ＳＴＥＰ９）、制御手段９による出湯ポンプ７への印加電圧をＶ３（本実施の形態では５．０Ｖ）に変更し（ＳＴＥＰ１０）、電圧Ｖ３でのポンプ駆動が実施済みフラグをセットする（ＳＴＥＰ１１）。しかし、電圧Ｖ３でのポンプ駆動が実施済み（ＳＴＥＰ４）で、かつ、出湯スイッチオフ時間が２秒未満（ＳＴＥＰ５）ならば、制御手段９による出湯ポンプ７へ電圧Ｖ２（本実施の形態では４．０Ｖ）を印加する（ＳＴＥＰ１４）。そして、駆動時間が第５の所定時間（本実施の形態では３秒）経過すると（ＳＴＥＰ１５）、制御手段９による出湯ポンプ７への印加電圧をＶ３（本実施の形態では５．０Ｖ）に変更し（ＳＴＥＰ１０）、電圧Ｖ３でのポンプ駆動が実施済みフラグをセットする（ＳＴＥＰ１１）。それ以降の動作は実施の形態１と同様である。
【００４４】
このような構成により、通常以下のステップと通常のステップとの両方の出湯電圧による出湯ポンプ７を駆動する所定時間を短縮でき、利便性を向上させることができる。
【００４５】
（実施の形態４）
図８、図９は、本発明の実施の形態４における電気湯沸かし器を示している。電気湯沸かし器の構成については実施の形態１と同じであるのでその説明を省略する。
【００４６】
本発明の実施の形態４における電気湯沸かし器において、実施の形態１との相違点は、出湯動作中に出湯スイッチ８を一旦オフした後再度オンしたとき、出湯動作を通常以下のステップや通常のステップに戻らず、通常以上のステップから開始するようにしたことである。
【００４７】
以上のように構成された電気湯沸かし器の動作を、図８、図９に基づき、さらに詳細に説明する。
【００４８】
図に示すように、電源オン中、出湯スイッチ８がオンされると（ＳＴＥＰ１）、出湯スイッチオン時間計測手段１０は出湯スイッチ８のオン時間を計測開始する（ＳＴＥＰ３）。ここで、電圧Ｖ３でのポンプ駆動が未実施（ＳＴＥＰ４）、または、実施済みでも出湯スイッチオフ時間が２秒以上ならば（ＳＴＥＰ５）、制御手段９により出湯ポンプ７へ電圧Ｖ１（本実施の形態では３．０Ｖ）を印加することによって出湯ポンプ７の駆動を開始する（ＳＴＥＰ２）。そして、駆動時間が第１の所定時間（本実施の形態では５秒）経過すると（ＳＴＥＰ６）、制御手段９による出湯ポンプ７への印加電圧をＶ２（本実施の形態では４．０Ｖ）に変更する（ＳＴＥＰ８）。さらに、駆動時間が第３の所定時間（本実施の形態では５秒）経過すると（ＳＴＥＰ９）、制御手段９による出湯ポンプ７への印加電圧をＶ３（本実施の形態では５．０Ｖ）に変更し（ＳＴＥＰ１０）、電圧Ｖ３でのポンプ駆動が実施済みフラグをセットする（ＳＴＥＰ１１）。
【００４９】
しかし、電圧Ｖ３でのポンプ駆動が実施済み（ＳＴＥＰ４）で、かつ、出湯スイッチオフ時間が２秒未満（ＳＴＥＰ５）ならば、制御手段９により出湯ポンプ７へ電圧Ｖ３（本実施の形態では５．０Ｖ）を印加し（ＳＴＥＰ１０）、電圧Ｖ３でのポンプ駆動が実施済みフラグをセットする（ＳＴＥＰ１１）。それ以降の動作は実施の形態１と同様である。
【００５０】
このような構成により、通常以上のステップでの出湯により時間短縮がはかれ、必要な吐出量を得て、できるだけ早く出湯完了でき、使い勝手の向上をはかることができる。
【００５１】
（実施の形態５）
図１０、図１１は、本発明の実施の形態５における電気湯沸かし器を示している。電気湯沸かし器の構成については実施の形態１と同じであるのでその説明を省略する。
【００５２】
本発明の実施の形態５における電気湯沸かし器において、実施の形態４との相違点は、図１０に示すように、制御手段９により出湯ポンプ７へ電圧Ｖ３（本実施の形態では５．０Ｖ）を印加し（ＳＴＥＰ１０）、その後、電圧Ｖ３でのポンプ駆動が３秒以上であれば（ＳＴＥＰ１４）、電圧Ｖ３でのポンプ駆動が実施済みフラグをセット（ＳＴＥＰ１１）させるようにしたことである。
【００５３】
このような構成により、大容器への連続出湯時、長い間連続で出湯スイッチ８を操作し続けている途中、何らかの理由により出湯スイッチ８から手が一旦離れてしまっても、直ぐに再度操作し直したときは、出湯ポンプ７の出力を通常以上のステップから駆動することにより、多量の湯をできるだけ早く出湯でき、また、時間をおいて押し直したときは通常以下のステップから駆動することにより、出湯時の湯の飛び散りを抑えることができ、使用者の使用タイミング状況に応じて出湯流量が調節可能である。
【００５４】
なお、各実施の形態１〜５の構成は必要に応じて適宜組み合わせることができるものであり、各実施の形態の構成に限定されるものではない。すなわち、各実施の形態において、出湯スイッチ８を一旦オフしたときの出湯動作が通常のステップの場合、出湯スイッチ８の再度オン時には、出湯動作を通常以下のステップから開始するようにすることにより、出湯スイッチ８の再度オン時にも湯の飛び散りを抑えつつ、必要な吐出量を得て、できるだけ早く出湯完了でき、使い勝手の向上をはかることができる。
【００５５】
また、出湯スイッチ８を一旦オフしたときの出湯動作が通常以上のステップの場合、出湯スイッチ８の再度オン時には、出湯動作を通常のステップから開始するようにすることにより、時間短縮がはかれ、必要な吐出量を得て、できるだけ早く出湯完了でき、使い勝手の向上をはかることができる。
【００５６】
また、通常以上のステップでの出湯スイッチオン時間計測手段１０により計測した時間が所定時間未満の場合、出湯スイッチ８の再度オン時には、出湯動作を通常以下のステップから開始するようにすることにより、通常以上のステップでの出湯時間が短時間であって再度オンしたときは、再度オン直後も出湯時の湯の飛び散りを抑えることができ、使い勝手を向上することができる。
【００５７】
また、通常以上のステップでの出湯スイッチオン時間計測手段１０により計測した時間が所定時間以上の場合、出湯スイッチの再度オン時には、出湯動作を通常のステップまたは通常以上のステップから開始するようにすることにより、時間短縮がはかれ、必要な吐出量を得て、できるだけ早く出湯完了でき、使い勝手の向上をはかることができる。
【００５８】
また、出湯スイッチオフ時間計測手段１１による計測時間が所定時間以上の場合、出湯スイッチ８の再度オン時、出湯動作を通常以下のステップから開始するようにすることにより、出湯スイッチ８を一旦オフして再度オンするまでの時間が長いとき、つまり、出湯スイッチ８の操作し直しがあったときは、再度オン直後も出湯時の湯の飛び散りを抑えることができ、使い勝手を向上することができる。
【産業上の利用可能性】
【００５９】
以上のように、本発明にかかる電気湯沸かし器は、出湯途中に出湯スイッチの操作する手が一時出湯スイッチから離れるようなケースが生じた場合でも、出湯スイッチの操作し直し時間が短時間であれば必要な吐出量を得て、できるだけ早く出湯完了できるようにした使い勝手のよいものであるので、ビルトインタイプなどに適用できる。
【図面の簡単な説明】
【００６０】
【図１】本発明の実施の形態１における電気湯沸かし器の構成を示す模式図
【図２】同電気湯沸かし器の制御内容を説明するフローチャート
【図３】同電気湯沸かし器の出湯スイッチと印加電圧の関係を示すタイムチャート
【図４】本発明の実施の形態２における電気湯沸かし器の制御内容を説明するフローチャート
【図５】同電気湯沸かし器の出湯スイッチと印加電圧の関係を示すタイムチャート
【図６】本発明の実施の形態３における電気湯沸かし器の制御内容を説明するフローチャート
【図７】同電気湯沸かし器の出湯スイッチと印加電圧の関係を示すタイムチャート
【図８】本発明の実施の形態４における電気湯沸かし器の制御内容を説明するフローチャート
【図９】同電気湯沸かし器の出湯スイッチと印加電圧の関係を示すタイムチャート
【図１０】本発明の実施の形態５における電気湯沸かし器の制御内容を説明するフローチャート
【図１１】同電気湯沸かし器の出湯スイッチと印加電圧の関係を示すタイムチャート
【符号の説明】
【００６１】
２  容器
３  加熱源
４  温度検知手段
７  出湯ポンプ
８  出湯スイッチ
９  制御手段
１０  出湯スイッチオン時間計測手段
１１  出湯スイッチオフ時間計測手段
【図１】
2008229088.tif 000003
【図２】
2008229088.tif 000004
【図３】
2008229088.tif 000005
【図４】
2008229088.tif 000006
【図５】
2008229088.tif 000007
【図６】
2008229088.tif 000008
【図７】
2008229088.tif 000009
【図８】
2008229088.tif 000010
【図９】
2008229088.tif 000011
【図１０】
2008229088.tif 000012
【図１１】
2008229088.tif 000013